(57)【特許請求の範囲】
【請求項１】
側面に設けた開口部と対向する内側壁に固定接点を、固定接点と隣接する内側壁に共通接点を備えると共に、この共通接点に対向して所定の間隔を空けて支持部が設けられた箱形のケースと、中間の軸部が上記固定接点と平行方向に回動可能に上記ケースに保持されると共に、一端の駆動部がケース内に収納され、他端の操作部が上記ケースの開口部から突出したレバーと、やや撓んだ状態で上記ケース内に収納され、中間の折曲部が上記レバーの駆動部に当接すると共に、折曲部の一端から延出した第一のアーム部先端の略コの字状の固定部が上記ケースの共通接点と支持部の間に圧入され、他端から延出した第二のアーム部先端の接点部が上記ケースの内側壁または固定接点に弾接した略Ｕ字状の弾性金属薄板製の可動接点からなるレバースイッチ。
【請求項２】
可動接点に固定部から延出する弾性舌片を一体に設けると共に、この弾性舌片の先端を第一のアーム部に当接させた請求項１記載のレバースイッチ。
【請求項３】
可動接点に固定部から延出する略Ｕ字状の弾性舌片を一体に設けると共に、この弾性舌片の先端を第二のアーム部に当接させた請求項１記載のレバースイッチ。
【請求項４】
一端がケースに回動可能に保持された回動カムを、レバーと可動接点の間に配置すると共に、この回動カムの一方の側面をレバーの駆動部に、他方の側面を可動接点の折曲部に各々当接させた請求項１〜３のいずれか一つに記載のレバースイッチ。
【請求項５】
可動接点をワイヤ状の線材とし、固定部を巻回して捩りコイルばねとした請求項４記載のレバースイッチ。
【請求項６】
請求項１〜５のいずれか一つに記載のレバースイッチと、このレバースイッチを空隙内に装着した筐体と、レバースイッチに接続された検出回路からなり、筐体の空隙内に挿抜される可動体によってレバースイッチを操作して、筐体の空隙内への可動体の有無や移動を検出回路が検出する検出装置。
【発明の詳細な説明】
【０００１】
【発明の属する技術分野】
本発明は、各種電子機器において、記録媒体の有無やメカニズムの動作検出等に用いられるレバースイッチ及びこれを用いた検出装置に関するものである。
【０００２】
【従来の技術】
各種電子機器に使用され、テープやディスク等の記録媒体の有無、或いはメカニズムの動作検出等に用いられる検出用のレバースイッチとしては、弾性金属薄板製の可動接点と固定接点を組合せたリーフスイッチが広く知られている。
【０００３】
このような従来のスイッチについて、図１３及び図１４を用いて説明する。
【０００４】
図１３は従来のレバースイッチの側面断面図であり、同図において、１は前面開放で左側面に開口部１Ａを備えた絶縁樹脂製の箱形のケース、２は中間の軸部２Ａがケース１に回動可能に保持されたレバーで、レバー２の一端の駆動部２Ｂがケース１内に収納され、他端の操作部２Ｃはケース１の開口部１Ａから左斜め上方に突出している。
【０００５】
そして、３は弾性金属薄板製の可動接点、４は同様に弾性金属薄板製の固定接点で、各々ケース１の開口部１Ａと対向する右内側壁１Ｂに植設され、可動接点３の左端部がレバー２の駆動部２Ｂ上面に弾接して、操作部２Ｃを左斜め上方に付勢すると共に、可動接点３の中間部と対向した固定接点４の左端部には、やや湾曲した接点部４Ａが設けられている。
【０００６】
また、これら可動接点３や固定接点４を収納したケース１の前面を、カバー（図示せず）が覆い、レバー２の軸部２Ａをケース１の右内側壁１Ｂと平行な上下方向に回動可能に保持して、レバースイッチが構成されている。
【０００７】
上記の構成において、レバー２の操作部２Ｃを所定の力で下方向に回動操作すると、図１４の側面断面図に示すように、軸部２Ａを支点として駆動部２Ｂが上方向に回動するため、この駆動部２Ｂ上面によって可動接点３が左端部を押し上げられて撓み、中間部が固定接点４の固定接点部４Ａに接触する。
【０００８】
そして、レバー２の操作部２Ｃが所定のストロークだけ回動すると、可動接点３の左端部がさらに上方向に移動して、この中間部に接点部４Ａを押圧された固定接点４も上方向に撓み、これによって、可動接点３と固定接点４が安定した接触圧力で接触した状態となる。
【０００９】
また、レバー２の操作部２Ｃへの操作力を解除すると、可動接点３や固定接点４の弾性復帰力によって、駆動部２Ｂが下方向に押圧されてレバー２が回動し、操作部２Ｃが図１３の状態に復帰するように構成されているものであった。
【００１０】
【発明が解決しようとする課題】
しかしながら上記従来のレバースイッチにおいては、レバー２によって可動接点３をスイッチの高さ方向に移動させて固定接点４との接離を行っているため、スイッチにはこの移動分だけの所定の高さが必要となり、スイッチ全体の薄型化を図ることが困難であると共に、レバー２が所定のストロークだけ回動した後に固定接点４も撓み、可動接点３との安定した接触圧力が得られる構成となっているため、レバー２が操作途中の状態では接点の接触が不安定なものになり易いという課題があった。
【００１１】
本発明は、このような従来の課題を解決するものであり、薄型化が図れ、安定した接点の接触が得られるレバースイッチ及びこれを用いた検出装置を提供することを目的とする。
【００１２】
【課題を解決するための手段】
上記目的を達成するために本発明は、開口部と対向する内側壁に固定接点を、これと隣接する内側壁に共通接点とこれに対向する支持部を備えたケースに、レバーの軸部を固定接点と平行方向に回動可能に保持し、略Ｕ字状の弾性金属薄板製の可動接点の中間の折曲部をレバーの駆動部に当接させると共に、折曲部の一端から延出した第一のアーム部先端の略コの字状の固定部を共通接点とケースの支持部の間に圧入し、他端から延出した第二のアーム部先端の接点部をケースの内側壁または固定接点に弾接させて、レバースイッチを構成するものである。
【００１３】
これにより、薄型化が図れ、接触の安定したレバースイッチを得ることができる。
【００１４】
【発明の実施の形態】
本発明の請求項１に記載の発明は、側面に設けた開口部と対向する内側壁に固定接点を、固定接点と隣接する内側壁に共通接点を備えると共に、この共通接点に対向して所定の間隔を空けて支持部が設けられた箱形のケースと、中間の軸部が上記固定接点と平行方向に回動可能に上記ケースに保持されると共に、一端の駆動部がケース内に収納され、他端の操作部が上記ケースの開口部から突出したレバーと、やや撓んだ状態で上記ケース内に収納され、中間の折曲部が上記レバーの駆動部に当接すると共に、折曲部の一端から延出した第一のアーム部先端の略コの字状の固定部が上記ケースの共通接点と支持部の間に圧入され、他端から延出した第二のアーム部先端の接点部が上記ケースの内側壁または固定接点に弾接した略Ｕ字状の弾性金属薄板製の可動接点からなるレバースイッチとしたものであり、レバーの駆動部に押圧される可動接点の動作方向が、レバーの操作部の操作方向に対して直交する方向であるため、スイッチ全体の薄型化が図れると共に、固定部が共通接点と支持部の間に圧入され、予めやや撓んだ状態の可動接点の接点部が、ケースの内側壁または固定接点上を弾接摺動して固定接点との接離を行う構成であるため、レバーが操作途中の状態でも接点の一定の接触圧力が確保でき、接触が安定したレバースイッチを得ることができるという作用を有する。
【００１５】
請求項２に記載の発明は、請求項１記載の発明において、可動接点に固定部から延出する弾性舌片を一体に設けると共に、この弾性舌片の先端を第一のアーム部に当接させたものであり、第一のアーム部に当接した弾性舌片によって、レバーの駆動部を可動接点が押圧して操作部を復帰させる際の力を大きくすることができるため、可動接点の幅や厚さが小さな場合でも、確実にレバーの操作部を復帰させることができるという作用を有する。
【００１６】
請求項３に記載の発明は、請求項１記載の発明において、可動接点に固定部から延出する略Ｕ字状の弾性舌片を一体に設けると共に、この弾性舌片の先端を第二のアーム部に当接させたものであり、第二のアーム部に当接した弾性舌片によって、可動接点の接点部がケースの内側壁または固定接点に弾接する接触圧力を大きくすることができるため、接点の接触をさらに安定したものとすることができるという作用を有する。
【００１７】
請求項４に記載の発明は、請求項１〜３のいずれか一つに記載の発明において、一端がケースに回動可能に保持された回動カムを、レバーと可動接点の間に配置すると共に、この回動カムの一方の側面をレバーの駆動部に、他方の側面を可動接点の折曲部に各々当接させたものであり、一端がケースに回動可能に保持された回動カムによって、レバーの駆動部が小さく移動量が少ないものであっても、可動接点を確実に動作させることができるため、より薄型化や小型化を図ったスイッチを得ることができるという作用を有する。
【００１８】
請求項５に記載の発明は、請求項４記載の発明において、可動接点をワイヤ状の線材とし、固定部を巻回して捩りコイルばねとしたものであり、可動接点の第一のアーム部や第二のアーム部を短くしても、この巻回した捩りコイルばねの固定部によって、固定接点への接触圧力や復帰力を確保できるため、可動接点を小さくし、スイッチを薄型小型にすることができるという作用を有する。
【００１９】
請求項６に記載の発明は、請求項１〜５のいずれか一つに記載のレバースイッチと、このレバースイッチを空隙内に装着した筐体と、レバースイッチに接続された検出回路からなり、筐体の空隙内に挿抜される可動体によってレバースイッチを操作して、筐体の空隙内への可動体の有無や移動を検出回路が検出する検出装置としたものであり、テープやディスク等の記録媒体の有無、或いはメカニズムの動作検出等が可能で、薄型化や小型化が図れる検出装置を得ることができるという作用を有する。
【００２０】
以下、本発明の実施の形態について、図１〜図１２を用いて説明する。
【００２１】
（実施の形態１）
図１は本発明の第一の実施の形態によるレバースイッチの平面断面図、図２は同分解斜視図、図３は同側面断面図であり、同図において、１１は前面開放で左側面に開口部１１Ａを備えた絶縁樹脂製の箱形のケース、１２は中間の軸部１２Ａがケース１１の回転保持部１１Ｂに回動可能に保持されたレバーで、レバー１２の一端の駆動部１２Ｂはケース１１内に収納され、他端の操作部１２Ｃはケース１１の開口部１１Ａから左斜め上方に突出している。
【００２２】
そして、ケース１１の開口部１１Ａと対向する右内側壁には導電金属製の固定接点１３が、これと隣接する上内側壁には導電金属製の共通接点１４が各々植設されると共に、共通接点１４に対向して所定の間隙を空けて支持部１１Ｃが設けられている。
【００２３】
また、１５は略Ｕ字状の弾性金属薄板製の可動接点で、やや撓んだ状態でケース１１内に収納され、中間の折曲部１５Ａがレバー１２の駆動部１２Ｂに弾接すると共に、折曲部１５Ａの一端から延出した第一のアーム部１５Ｂの先端には、曲げ部１５Ｃを介して接続部１５Ｄと当接部１５Ｅを備えた略コの字状の固定部１５Ｆが設けられ、この固定部１５Ｆはやや撓んだ状態で接続部１５Ｄが共通接点１４に、当接部１５Ｅがケース１１の支持部１１Ｃに各々弾接して、共通接点１４と支持部１１Ｃの間に圧入されている。
【００２４】
そして、可動接点１５の折曲部１５Ａの他端から延出した第二のアーム部１５Ｇ先端の接点部１５Ｈがケース１１の右内側壁に弾接すると共に、これらを収納したケース１１の前面をカバー１６が覆い、レバー１２の軸部１２Ａを、固定接点１３を植設したケース１１の右内側壁と平行な上下方向に回動可能に保持して、レバースイッチが構成されている。
【００２５】
以上の構成において、図３に示す状態から、レバー１２の操作部１２Ｃを所定の力で下方向に回動操作すると、図４の平面断面図に示すように、軸部１２Ａを支点として駆動部１２Ｂが右方向に回動するため、この駆動部１２Ｂに折曲部１５Ａを押圧された可動接点１５が曲げ部１５Ｃを支点として、撓みながら操作部１２Ｃの操作方向に対して直交する右方向に回転し、第二のアーム部１５Ｇ先端の接点部１５Ｈがケース１１の右内側壁を上方向に弾接摺動して、固定接点１３に接触し、可動接点１５を介して固定接点１３と共通接点１４との電気的接続が行われる。
【００２６】
そして、レバー１２の操作部１２Ｃへの操作力を解除すると、可動接点１５の弾性復帰力によって、接点部１５Ｈがケース１１の右内側壁を下方向に弾接摺動して固定接点１３から離れると共に、駆動部１２Ｂが折曲部１５Ａに押圧されてレバー１２が回動し、操作部１２Ｃが図１及び図３の状態に復帰するように構成されている。
【００２７】
このように本実施の形態によれば、レバー１２の駆動部１２Ｂに押圧される可動接点１５の動作方向が、レバー１２の操作部１２Ｃの操作方向に対して直交する方向であるため、スイッチ全体の高さを低くして薄型化が図れると共に、固定部１５Ｆが共通接点１４と支持部１１Ｃの間に圧入され、予めやや撓んだ状態の可動接点１５の接点部１５Ｈが、ケース１１の右内側壁または固定接点１３上を弾接摺動して固定接点１３との接離を行う構成であるため、レバー１２が操作途中の状態でも接点の一定の接触圧力が確保でき、接触が安定したレバースイッチを得ることができるものである。
【００２８】
また、図５の平面断面図に示すように、可動接点１５に固定部１５Ｆから延出する弾性舌片１５Ｊを一体に設け、この弾性舌片１５Ｊの先端を第一のアーム部１５Ｂの内側に当接させることによって、レバー１２の駆動部１２Ｂを可動接点１５の折曲部１５Ａが押圧して操作部１２Ｃを復帰させる際の力を大きくすることができるため、可動接点１５の幅や厚さが小さな場合でも、確実にレバー１２の操作部１２Ｃを復帰させることができる。
【００２９】
さらに、図６の平面断面図に示すように、可動接点１５に固定部１５Ｆから延出する略Ｕ字状の弾性舌片１５Ｋを一体に設け、この弾性舌片１５Ｋの先端を第二のアーム部１５Ｇの内側に当接させることによって、可動接点１５の接点部１５Ｈがケース１１の右内側壁または固定接点１３に弾接する接触圧力を大きくすることができるため、接点の接触をさらに安定したものとすることができる。
【００３０】
なお、以上の説明では、レバー１２の操作部１２Ｃの回動操作によって、ケース１１の右内側壁に弾接した可動接点１５の接点部１５Ｈを固定接点１３に接触させる構成の、所謂プッシュオンタイプのスイッチについて説明したが、これとは逆に、予め接点部１５Ｈが固定接点１３に接触して電気的に接続された状態から、レバー１２の操作部１２Ｃの回動操作によって、可動接点１５が固定接点１３から離れ電気的に切断される構成の、所謂プッシュオフタイプのスイッチとしても本発明の実施が可能である。
【００３１】
（実施の形態２）
図７は本発明の第二の実施の形態によるレバースイッチの平面断面図、図８は同分解斜視図、図９は同側面断面図であり、同図において、前面開放で左側面に開口部２１Ａを備えた絶縁樹脂製の箱形のケース２１の回転保持部２１Ｂに、レバー１２の中間の軸部１２Ａが回動可能に保持され、レバー１２の操作部１２Ｃがケース２１の開口部２１Ａから左斜め上方に突出していることや、ケース２１の開口部２１Ａと対向する右内側壁には導電金属製の固定接点１３が、これと隣接する上内側壁には導電金属製の共通接点１４が各々植設され、共通接点１４に対向して所定の間隙を空けて支持部２１Ｃが設けられていることは、実施の形態１の場合と同様である。
【００３２】
また、略Ｕ字状の弾性金属薄板製の可動接点１５がやや撓んだ状態でケース２１内に収納され、折曲部１５Ａの一端から延出した第一のアーム部１５Ｂの先端には、曲げ部１５Ｃを介して接続部１５Ｄと当接部１５Ｅを備えた略コの字状の固定部１５Ｆが設けられ、この固定部１５Ｆがやや撓んだ状態で、共通接点１４と支持部２１Ｃの間に圧入されていることも実施の形態１の場合と同様であるが、レバー１２と可動接点１５の間には、上端の支点部２２Ａをケース２１に回動可能に保持した回動カム２２が配置されている。
【００３３】
そして、レバー１２の駆動部１２Ｂは回動カム２２左側面の突出部２２Ｂに、、可動接点１５中間の折曲部１５Ａは回動カム２２の右側面に弾接すると共に、可動接点１５の折曲部１５Ａの他端から延出した第二のアーム部１５Ｇ先端の接点部１５Ｈがケース２１の右内側壁に弾接し、これらを収納したケース２１の前面をカバー２３が覆い、レバー１２の軸部１２Ａを、固定接点１３を植設したケース２１の右内側壁と平行な上下方向に回動可能に保持して、レバースイッチが構成されている。
【００３４】
以上の構成において、図９に示す状態から、レバー１２の操作部１２Ｃを所定の力で下方向に回動操作すると、図１０の平面断面図に示すように、軸部１２Ａを支点として駆動部１２Ｂが右方向に回動するため、この駆動部１２Ｂに左側面の突出部２２Ｂを押圧された回動カム２２が、支点部２２Ａを支点として右方向に回動する。
【００３５】
そして、回動カム２２の右側面に折曲部１５Ａを押圧された可動接点１５が曲げ部１５Ｃを支点として、撓みながら操作部１２Ｃの操作方向に対して直交する右方向に回転するため、第二のアーム部１５Ｇ先端の接点部１５Ｈがケース２１の右内側壁を上方向に弾接摺動して固定接点１３に接触し、可動接点１５を介して固定接点１３と共通接点１４との電気的接続が行われる。
【００３６】
なお、この時、回動カム２２が支持部２２Ａを支点として回動するため、レバー１２の駆動部１２Ｂが右方向に回動する移動量Ｓ１に比べ、回動カム２２の移動量Ｓ２は大きなものとなり、この大きな移動量Ｓ２の分だけ可動接点１５の折曲部１５Ａが押圧されて、接点の接触が行われる。
【００３７】
また、レバー１２の操作部１２Ｃへの操作力を解除すると、可動接点１５の弾性復帰力によって、接点部１５Ｈがケース２１の右内側壁を下方向に弾接摺動して固定接点１３から離れると共に、右側面を折曲部１５Ａに押圧された回動カム２２が左方向に回動して突出部２２Ｂが駆動部１２Ｂを押圧し、レバー１２が回動して操作部１２Ｃが図７及び図９の状態に復帰するように構成されている。
【００３８】
このように本実施の形態によれば、支点部２２Ａがケース２１に回動可能に保持された回動カム２２によって、レバー１２の駆動部１２Ｂが小さく移動量が少ないものであっても、可動接点１５を確実に動作させることができるため、薄型化や小型化を図ったスイッチを得ることができるものである。
【００３９】
また、図１１の平面断面図に示すように、可動接点２４をワイヤ状の線材とし、固定部２４Ａを巻回して捩りコイルばねとすることによって、可動接点２４の第一のアーム部２４Ｂや第二のアーム部２４Ｃを短くしても、この巻回した捩りコイルばねの固定部２４Ａにより、固定接点１３への接触圧力や復帰力を確保できるため、可動接点２４を小さくし、スイッチをさらに薄型小型にすることができる。
【００４０】
（実施の形態３）
図１２は本発明の第三の実施の形態による検出装置の側面断面図であり、同図において、３０は実施の形態１や実施の形態２で説明したレバースイッチ、３１は電子機器の筐体で、レバースイッチ３０は筐体３１の空隙３１Ａ下方に装着されると共に、その固定接点や共通接点には検出回路３２が接続されている。
【００４１】
そして、３３はテープやディスク等の記録媒体、或いはカムやシャフト等のメカニズム部材等の可動体で、この可動体３３が筐体３１の空隙３１Ａ内に挿抜された際に、レバースイッチ３０の操作部１２Ｃを押圧しスイッチを操作するように構成されている。
【００４２】
以上の構成において、筐体３１の空隙３１Ａ内に可動体３３を挿抜すると、レバースイッチ３０が操作され、このレバースイッチ３０の電気的接離を検出回路３２が検出することによって、筐体３１の空隙３１Ａ内への可動体３３の有無や移動の検出が行われる。
【００４３】
このように本実施の形態によれば、薄型で、接触が安定したレバースイッチ３０を用いて検出装置を構成することによって、記録媒体の有無やメカニズムの動作検出等が可能で、薄型化や小型化を図った検出装置を実現することができるものである。
【００４４】
【発明の効果】
以上のように本発明によれば、薄型化が図れ、接触の安定したレバースイッチ及びこれを用いた検出装置を得ることができるという有利な効果が得られる。
【図面の簡単な説明】
【図１】本発明の第一の実施の形態によるレバースイッチの平面断面図
【図２】同分解斜視図
【図３】同側面断面図
【図４】同動作時の平面断面図
【図５】同弾性舌片を設けた平面断面図
【図６】同他の弾性舌片を設けた平面断面図
【図７】本発明の第二の実施の形態によるレバースイッチの平面断面図
【図８】同分解斜視図
【図９】同側面断面図
【図１０】同動作時の平面断面図
【図１１】同可動接点を線材とした平面断面図
【図１２】本発明の第三の実施の形態による検出装置の側面断面図
【図１３】従来のレバースイッチの側面断面図
【図１４】同動作時の側面断面図
【符号の説明】
１１，２１  ケース
１１Ａ，２１Ａ  開口部
１１Ｂ，２１Ｂ  回転保持部
１１Ｃ，２１Ｃ  支持部
１２  レバー
１２Ａ  軸部
１２Ｂ  駆動部
１２Ｃ  操作部
１３  固定接点
１４  共通接点
１５，２４  可動接点
１５Ａ  折曲部
１５Ｂ，２４Ｂ  第一のアーム部
１５Ｃ  曲げ部
１５Ｄ  接続部
１５Ｅ  当接部
１５Ｆ，２４Ａ  固定部
１５Ｇ，２４Ｃ  第二のアーム部
１５Ｈ  接点部
１５Ｊ，１５Ｋ  弾性舌片
１６，２３  カバー
２２  回動カム
２２Ａ  支点部
２２Ｂ  突出部
３０  レバースイッチ
３１  筐体
３１Ａ  空隙
３２  検出回路
３３  可動体
【図１】
0003893824.tif 000002
【図２】
0003893824.tif 000003
【図３】
0003893824.tif 000004
【図４】
0003893824.tif 000005
【図５】
0003893824.tif 000006
【図６】
0003893824.tif 000007
【図７】
0003893824.tif 000008
【図８】
0003893824.tif 000009
【図９】
0003893824.tif 000010
【図１０】
0003893824.tif 000011
【図１１】
0003893824.tif 000012
【図１２】
0003893824.tif 000013
【図１３】
0003893824.tif 000014
【図１４】
0003893824.tif 000015